Podtech/llm-jp-corpus-v4-ja_patent huggingface dataset:
(57)【特許請求の範囲】
【請求項１】
厚さ０．５mm以下の表皮の表面に樹脂薄層を介して金属箔を貼着し、凹凸加工を施してなるものであり、前記金属箔を貼着した凹凸面上に、彩色が施されており、かつ該彩色した上に樹脂上塗層が形成されていることを特徴とする彩色加工した皮製品。
【請求項２】
前記樹脂薄層が漆からなるものであることを特徴とする請求項１の皮製品。
【請求項３】
前記樹脂上塗層が、漆薄層と、その上のクリアラッカー層からなることを特徴とする請求項１又は２の皮製品。
【請求項４】
前記金属箔上に漆薄層が形成され、その上に前記彩色が施されていることを特徴とする請求項１〜３いずれか１項の皮製品。
【発明の詳細な説明】
【０００１】
【発明の属する技術分野】
本発明は、装飾性に優れた皮製品に関する。
【０００２】
【従来の技術】
従来から、金唐革等として、皮革に彩色した製品は知られている。しかし、従来の製品はいずれも、変化に乏しく、また、皮革に手描き友禅のような豊かな彩色を施すことは不可能とされていた。
【０００３】
【発明が解決しようとする課題】
本発明は、皮革に、変化に富んだ、豊かな表情を有する彩色を施した製品を提供することを課題とする。
【０００４】
【課題を解決するための手段】
本発明は、皮革に接着性よく金属箔を貼着し、その後に凹凸加工を施し、彩色することによって、上記課題を解決した。
即ち、本発明の製品は、表皮の表面に樹脂薄層を介して金属箔を貼着し、凹凸加工を施してなるものであり、凹凸面上に、彩色を施し、かつ該彩色上に樹脂上塗層が設けられていることを特徴とする。
【０００５】
前記樹脂薄層の形成には、天然樹脂及び合成樹脂がいずれも使用できるが、天然樹脂の一種である漆を使用するのが、少量の使用で、金属箔を確実に貼着でき、しかも防虫性や防湿性等にも優れる堅牢な製品となしうるので、特に好ましい。
【０００６】
また、金属箔は、金箔、銀箔、色箔等のいずれでもよく、凹凸加工は製品表面に立体感を持たせるものであればよく、型押し、エンボス、木槌等によるたたき形等がいずれも適用できる。本発明の製品は金属箔の存在により、製品表面の凹凸が非常に豊かな表情となる。
【０００７】
なお、金属箔の上に彩色を施す前に、金属箔上に漆等の樹脂薄層を形成するのが好ましい。金属箔表面は、手が触れると油がつき、均一な着色が不可能となるので、これを防止するためである。
【０００８】
金属箔上への彩色には、手描き友禅染め技法等が適用できる。絵の具として、色漆、油彩絵の具、アクリルカラー等も使用可能である。なお、濃淡ボカシ彩色や挿し友禅技法、すり落とし等も適用可能である。
【０００９】
更に、本発明では、彩色した上に、更に樹脂上塗層を形成して、彩色の保護をするが、この樹脂上塗層は単層からなるものであっても、複数層からなるものであってもよい。いずれにしても、樹脂上塗層の表面は、合成樹脂からなるクリアラッー層であるのが好ましい。特に、彩色上に漆薄層を設け、色落ちを防止し、堅牢な製品となし、更にその上にクリアラッカー層を設け、漆を使用した製品に触れても、漆かぶれを生じないようにするのが好ましい。
【００１０】
かかる本発明では、漆薄層等の適用で、皮製品を、その風合いを害することなく、非常に強度及び耐久性あるものとなすことができるので、使用する表皮の厚さを０．５ｍｍ以下、更には０．３ｍｍ以下としても、品質のよい製品を得ることが可能となる。そのため、衣料、袋物、履物、引箔等、従来皮製品の適用が困難であった分野にまで、装飾性豊かな皮製品の適用を可能とするのである。
【００１１】
【発明の実施の形態】
次に、本発明の実施例を図面に従って説明する。
図１の製品は、羊の表皮１を厚さ０．４ｍｍの薄層とし、その表面に漆２ａを薄く塗布し、全面に金箔３を貼着し、エンボス加工して、凹凸模様４を設け、その上から漆２ｂを薄く塗布し、その後、友禅染め技法で彩色５を施し、更に、漆２ｃを薄く塗布した後、ウレタン製のクリアラッカーをスプレー塗布した。
得られて製品は、羊の皮本体の柔軟な風合いを有し、しかも、立体的かつ装飾性豊かな外観を有する皮製品に仕上がった。
該製品は、非常に薄いにもかかわらず、堅牢にして耐久性あるものであり、袋物や装飾品等に、幅広く使用できるものとなった。また、漆を使用したが、表面にクリアラッカー層６を設けているため、漆によるかぶれの心配もなかった。
【００１２】
【発明の効果】
本発明の製品は、皮革本来の風合を実質的に保持した状態で、変化に富んだ、豊かな表情を有する彩色を施した皮革製品となるものであって、０．５ｍｍ以下というような薄い皮革を使用しても、耐久性ある堅牢な製品を得ることができる。
【図面の簡単な説明】
【図１】図１は、本発明の一例の製造工程を示す断面図である。
【符号の説明】
１  表皮
２ａ、２ｂ、２ｃ  漆
３  金箔
４  凹凸模様
５  彩色
６  クリアラッカー層
【図１】
0003939981.tif 000002
(57)【特許請求の範囲】
【請求項１】
繭又は生糸に含有されるセリシンを、酸、アルカリ、または酵素により部分加水分解して抽出した後精製して得られる、純度９０％以上で平均分子量が約２０Ｋであるセリシン加水分解物を有効成分とするアトピー性皮膚炎防止剤。
【発明の詳細な説明】
【０００１】
【発明の属する技術分野】
本発明は繭、生糸から抽出されるタンパク質に関する。本発明に係るタンパク質はアトピー性皮膚炎による肌のかゆみ、チクチク感の軽減、減少に優れた効果があることから、皮膚外用剤など医薬品、化粧水、クリームなどの化粧品、皮膚に直接触れる衣料などの様々な分野で利用できるものである。
【０００２】
【従来の技術】
アトピー性皮膚炎の発症原因は不明であるが、以前から知られている免疫異常以外に、食事や皮膚生理機能の異常など様々な原因が絡み合って発症すると考えられている。アトピー性皮膚炎は表皮性掻痒を特徴とし、掻破による表皮剥離が掻痒の強さに比例して増加する。表皮剥離は化膿菌などによる二次感染、あるいは表皮に付着した物質が容易に経皮吸収されるため、香粧品の成分によって急性の刺激反応を生ずることもある。また、表皮剥離は機械的刺激にも弱く、肌着などの衣料との摩擦により、湿疹などを生ずることもある。そのため、このような皮膚を正常化させるには長期間を要する。
一般にアトピー性皮膚炎の治療はステロイド系外用剤により実施されるが、長期使用により、皮膚の萎縮、血管拡張などの副作用が伴う。その他では、入浴時に保湿入浴剤を使用する、あるいは機械的刺激を少なくして皮膚を洗浄するなどの治療が実施されるが、入浴直後の経皮水分蒸散量は高く、皮膚は乾燥しやすい。アトピー性皮膚炎は皮膚の乾燥状態が掻痒感を増強することもあり、必ずしも満足できる治療法はなかった。そのため、安全性の高い治療薬、治療材料が求められていた。
【０００３】
【発明が解決しようとする課題】
そこで我々はアトピー性皮膚炎の患者らに開発が望まれている安全性の高い治療薬、治療材料を提供することを目的とした。
本発明の目的は、人体に対し安全で、熱を加えても失活せず、水溶性で適用範囲が広く、優れた皮膚炎症予防・治療効果を示す新規皮膚炎症防止剤を提供することにある。
【０００４】
本発明は繭又は生糸に含有されるセリシンを、酸、アルカリ、または酵素により部分加水分解して抽出した後精製して得られる、純度９０％以上で平均分子量が約２０Ｋであるセリシン加水分解物を有効成分とするアトピー性皮膚炎防止剤である。
【０００５】
本発明で用いるセリシンの加水分解物は、純度９０％以上の高精製度のタンパク質（ペプチド）の状態のものであり、繭又は生糸に含有されるセリシンを、酸、アルカリ、あるいは酵素によって部分加水分解して抽出してから、例えば次の（１），（２）のいずれかの方法で回収する。
（１）  メタノール、エタノール、ジオキサン等の水溶性有機溶媒を混合してセリシンを析出させた後、これを濾別乾燥して、セリシンを粉体として得る。
（２）  特開平４−２０２４３５号公報に提案されているように、限外濾過膜、あるいは逆浸透膜に付した後、乾燥することによりセリシン粉体を得る。
【０００６】
かくして得た加水分解物としてのセリシンは水溶性であり、熱に対しても安定である。アトピー性皮膚炎等の発症部位やその程度等に応じた適宜の使用形態にすることができる。
即ち水溶液の状態で患部に塗布したり、軟膏等の外用薬や化粧料におけるようにクリーム、乳液、ローション、ゲル等に混入して用いることもできる。またガーゼや粘着性シート等に付着させて用いることもできる。さらに肌着やブラジャー等の着用素材に由来するアトピー性皮膚炎に対してはこれらを構成する素材にセリシンを付着させて用いることもできる。繊維素材に付着させる場合には、繊維編織物にセリシン水溶液を含浸させ乾燥熱固定する方法等によりセリシンを付着させることができる。これらにおけるセリシンの量はその効果を発現しうる量であれば特に制限はなく、全体に対したとえば０．１〜５０重量％、より好ましくは０．５〜５重量％程度が用いられる。
次に実施例により本発明を具体的に説明する。
【０００７】
【実施例】
セリシンの製造：
絹織物１Ｋｇを、０．２重量％炭酸ナトリウム（試薬特級）水５０Ｌ中で２時間処理してセリシン加水分解物を抽出した。得られた抽出液を平均孔径０．２μｍのフィルターで濾過して、凝集物を除去した。濾液（凝集物を除去した抽出液）を透析膜（ナカライテスク社製  分画分子量３５００）により脱塩し、セリシン加水分解物水溶液を得た。この水溶液をエバポレーターにより濃縮を行ない、セリシン加水分解物の１０％溶液を得た。得られたセリシン加水分解物は、平均分子量約２０Ｋであった。得られたセリシン加水分解物溶液は除菌処理を行ない無菌環境下で褐色ビンに封入し、冷暗所で保管し本試験に用いた。
【０００８】
症例１：
接触性皮膚炎と診断された２４歳の女性についてセリシンの効果を試験した。
（現病歴）
約３年前より乳房下部、両肩、背部に掻痒性皮疹が発生し、アトピー性皮膚炎と考えていた。初診時、乳房下部、両肩、背部のブラジャーに接触する部分に一致して色素沈着を伴う落屑性紅斑を認めた。
（試験内容）
上記患者に対して患者の同意のもとに、セリシン加水分解物０．５％水溶液を患部に入浴後塗布した。セリシン加水分解物水溶液の塗布による皮膚変化の結果を表−１に示す。
【０００９】
【表１】
0003950194.tif 000002
【００１０】
上記のようにセリシン加水分解物の塗布を始めてから約３週間後に症状は改善が認められ、２ケ月後にはほとんど治癒した。この期間中ステロイド剤等の外用は一切行わなかった。
【００１１】
症例２：
アトピー性皮膚炎と診断された２８歳の女性についてセリシンの効果を試験した。
（現病歴）
約５年前より、両耳に皮疹が発生し、ステロイド外用剤により消失、中止により発症を繰り返した。２年前からは、顔面と膝の裏側に皮疹が出現した。
（試験内容）
上記患者に対して患者の同意のもとに、セリシン加水分解物０．５％水溶液を患部に入浴後塗布した。セリシン加水分解物水溶液の塗布による皮膚変化の結果を表−２に示す。
【００１２】
【表２】
0003950194.tif 000003
【００１３】
上記のようにセリシン加水分解物の塗布を始めてから約１ケ月後に症状は改善が認められ、２ケ月後にはほとんど治癒した。この期間中ステロイド剤等の外用は一切行わなかった。
【００１４】
上記２症例とも長期間アトピー性皮膚炎、接触性皮膚炎の症状を示し、一般の治療では改善効果を示さなかった患者に対して高い有効性が確認された。
(57)【特許請求の範囲】
【請求項１】
既設の融雪本管を所定の施工スパンで切断する切断工程と、施工スパンに通したワイヤを介してワイヤブラシを往復させるとともに管内に水を送り込み、管内の錆を除去して水洗するクリーニング工程と、管内の水を除去する排水工程と、エアホース、塗装ホースをまとめて施工スパンに引き入れ、エアで回転する塗装ノズルにエポキシ樹脂塗料を供給して遠心力噴霧させながら一定速度で管内面を塗装する塗装工程と、塗料の硬化後、ファイバスコープを融雪本管に挿入して仕上り状況を確認する確認工程とを順に実施することを特徴とする既設融雪管の品質保全工法。
【請求項２】
電動ブラシまたは水噴霧によりノズル取付管内を除錆するノズル取付管クリーニング工程を前記クリーニング工程の前に実施し、エポキシ樹脂塗料の噴霧によりノズル取付管内を塗装するノズル取付管塗装工程を前記塗装工程の後に実施することを特徴とする請求項１記載の既設融雪管の品質保全工法。
【発明の詳細な説明】
【技術分野】
【０００１】
この発明は、既設の融雪管内をクリーニングし、塗装することができる既設融雪管の品質保全工法に関する。
【背景技術】
【０００２】
現行の融雪管は、黒ガス管が主に使用されており、防錆対策がなされていないので、どんどん腐食が進み、管の厚みの保持が難しい状況である。
【発明の開示】
【発明が解決しようとする課題】
【０００３】
そこで、この発明の目的は、黒ガス管と水とが直接接触する面をなくし、管の腐食に歯止めをかけ、配管の延命を図ることができる既設融雪管の品質保全工法を提供することにある。
【課題を解決するための手段】
【０００４】
かかる目的を達成するためのこの発明の構成は、既設の融雪本管を所定の施工スパンで切断する切断工程と、施工スパンに通したワイヤを介してワイヤブラシを往復させるとともに管内に水を送り込み、管内の錆を除去して水洗するクリーニング工程と、管内の水を除去する排水工程と、エアホース、塗装ホースをまとめて施工スパンに引き入れ、エアで回転する塗装ノズルにエポキシ樹脂塗料を供給して遠心力噴霧させながら一定速度で管内面を塗装する塗装工程と、塗料の硬化後、ファイバスコープを融雪本管に挿入して仕上り状況を確認する確認工程とを順に実施することをその要旨とする。
【０００５】
なお、電動ブラシまたは水噴霧によりノズル取付管内を除錆するノズル取付管クリーニング工程をクリーニング工程の前に実施し、エポキシ樹脂塗料の噴霧によりノズル取付管内を塗装するノズル取付管塗装工程を塗装工程の後に実施することができる。
【発明の効果】
【０００６】
融雪管内面のクリーニングに続き、塗膜を作成することによって、管寿命の延長を図り、赤水が道路に流されることにより道路のコンクリート面、アスファルト面が赤く変色することを防止する効果がある。
【０００７】
なお、この発明は、管体の厚みがあり、材質が強固であればベストの施工効果を発揮できるから、新設されてから出来るだけ早期に施工することが好ましい。また、道路上での施工が大部分を占めるから、交通の円滑さを保ちながら施工するために、道路の幅員が大きいことが好ましく、塗装機やコンプレッサ、ウィンチなども、小型のものが好ましい。
【０００８】
また、塗料は、クリーニング後の少しの残存錆に溶け込み、錆とともに固化するものを管全体に圧送すれば、管に生じた孔やコンクリートの亀裂部にも浸透する効果がある。
【発明を実施するための最良の形態】
【０００９】
以下、この発明の施工工程を順に説明する。
【００１０】
なお、施工前に、融雪ノズルの中央部を外し、ファイバスコープを融雪本管内にまで差し込み、管内の状況を確認する。
【００１１】
（１）切断工程
既設の融雪本管を５０〜８０ｍの施工スパンで切断する。
【００１２】
（２）クリーニング工程
施工スパンの管末からピアノ線を差し込み、施工スパンに貫通させる。ピアノ線にワイヤの先を結び、ピアノ線を引っ張ることにより施工スパンの管内にワイヤを通し、施工スパンの両端に設置するウィンチに接続する。口径に準じたワイヤブラシ、またはそれに類する物をワイヤに取り付け、ワイヤを介して交互に往復させることにより、管内の錆、スケール、水垢などを除去する。その際、給水車から圧力ポンプにより水を同時に管内に送り込み、錆を流し、管内を水洗する。
【００１３】
（３）排水工程
コンプレッサにて、管内にたまった水をおおむね除去する。
【００１４】
（４）塗装工程
エアホース、塗装ホースをまとめて１本化したホースを施工スパンにワイヤで引き入れる。エアにより末端の塗装ノズルを回転させ、それに塗料を送り込み、管内に遠心力噴霧させながら、ウィンチで一定速度（管径により速度調節）で手前に巻き取って移動させ、施工スパンの管内を塗装する。
【００１５】
（５）確認工程
塗料の硬化時間後に、再度融雪ノズルの中央部または管末よりファイバスコープを挿入し、仕上り状況を確認する。
【００１６】
（６）ノズル取付管クリーニング工程
融雪ノズルの中央部からノズル取付管内に高圧水噴霧ガンを挿入し、水噴霧によりノズル取付管内を除錆する。ただし、水噴霧は、電動ブラシに代えてもよい。なお、この工程は、融雪本管のクリーニング工程の前に実施する。
【００１７】
（７）ノズル取付管塗装工程
融雪ノズルの中央部からノズル取付管内に高圧塗装ガンを挿入し、エポキシ樹脂塗料の噴霧によりノズル取付管内を塗装する。ただし、この工程は、融雪本管の塗装工程の後に実施する。
【図面の簡単な説明】
【００１８】
【図１】クリーニング工程を示す説明図
【図２】水洗状況を示す説明図
【図３】塗装工程を示す説明図
【図４】確認工程を示す説明図
【符号の説明】
【００１９】
Ａ…圧力ポンプ
Ｂ…給水車
Ｃ…ウィンチ
Ｄ…ウィンチ
Ｅ…コンプレッサ
Ｆ…塗装マシーン
Ｇ…塗装ノズル
Ｈ…高圧水噴霧ガン
Ｉ…高圧塗装ガン
Ｊ…ワイヤ
Ｋ…ワイヤブラシ
Ｌ…ファイバスコープ
特許出願人          株式会社  ▲吉▼▲崎▼商会
代理人  弁理士                  松  田  忠  秋
【図１】
0003950862.tif 000002
【図２】
0003950862.tif 000003
【図３】
0003950862.tif 000004
【図４】
0003950862.tif 000005